【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
活性物質で対象物をコーティングするための装置であって、
使用準備の整った少なくとも１つの活性物質を保持する第１の装置、
該活性物質を該対象物上に適用するための別の装置、および、
該対象物を該活性物質で直接コーティングするために、適用された活性物質上にエネルギー放射を向ける放射装置
からなる装置であり、
該放射による放射線が、該対象物上で該活性物質の結晶質または非結晶質コーティング構造の形成を引き起こすことを特徴とする装置。
【請求項２】
前記放射装置が電磁放射線を発生するものである請求項１に記載の装置。
【請求項３】
前記放射装置が、同一もしくは異なる形態を有する放射線を、特に断続的にもしくは線束として、発生するものである請求項１または２に記載の装置。
【請求項４】
前記第１の装置が、使用準備の整った少なくとも２つの活性物質の混合物を保持するものである請求項１〜３のいずれか一項に記載の装置。
【請求項５】
前記第１の装置が、少なくとも１つの活性物質または請求項４に記載した活性物質混合物と使用準備の整った他の材料との混合物を、特に溶液もしくは懸濁液として、保持するものである請求項１〜４のいずれか一項に記載の装置。
【請求項６】
前記他の材料が水もしくはアルコール、特に２回蒸留した滅菌水である、請求項５に記載の装置のための混合物。
【請求項７】
前記別の装置が、前記活性物質混合物もしくは前記混合物を適用するのに使用される、請求項４〜６のいずれか一項に記載の装置。
【請求項８】
前記活性物質が、体重減量剤／食欲抑制剤、気付け薬／抗低酸素血症剤、鎮痛剤／抗リューマチ剤、抗アレルギー剤、抗貧血剤、抗不整脈剤、抗生物質／抗感染薬、抗痴呆薬、向知薬、抗糖尿病薬、解毒剤、抗嘔吐薬／抗目眩薬、抗癲癇薬、抗出血剤、抗線維素溶解薬、止血剤、抗高血圧薬、抗低血糖症薬、抗低血圧薬、抗凝血剤、抗カビ剤、駆虫剤、抗炎症薬、咳止め薬／去痰薬、動脈硬化症薬剤、温泉治療および加熱治療薬剤、β受容体遮断薬、カルシウムチャンネル遮断薬およびレニン・アンギオテンシン系の阻害剤、気管支梢炎薬剤／抗喘息薬、胆汁排出促進薬および胆嚢薬剤、コリン作動性薬剤、コルチコイド、皮膚炎薬剤、殺菌剤／防腐剤、食事治療剤／栄養治療剤、診断薬および診断準備用薬剤、利尿薬、循環促進剤、禁断症薬剤、酵素阻害剤、酵素製剤および輸送タンパク質、線維素溶解薬、老人病薬剤、痛風薬剤、抗インフルエンザ薬剤および風邪薬、産婦人科薬剤、肝臓薬剤、睡眠薬／鎮静剤、下垂体ホルモン、視床下部ホルモン、その他の調節ペプチドおよびその阻害剤、免疫調節剤、輸液および標準注入溶液、臓器灌流溶液、強心薬、カリエス薬剤、歯周病薬剤およびその他の歯科製剤、冠状動脈薬剤、下剤、抗脂血症薬、局所麻酔薬／神経治療薬、胃腸薬、偏頭痛薬剤、ミネラル製剤、口腔咽頭治療薬、筋肉弛緩剤、麻酔剤、神経障害製剤およびその他の向神経薬剤、眼科薬剤、骨粗鬆症薬剤／カルシウム代謝調節剤、耳科用薬剤、パーキンソン病薬剤および錐体外路系障害の他の薬剤、向精神薬、鼻科用薬剤／副鼻腔薬剤、精力剤／強壮剤、甲状腺治療薬、血清、免疫グロブリンおよびワクチン、性ホルモンおよびその阻害剤、鎮痙薬、血小板凝集阻害剤、結核薬剤、免疫増強剤、泌尿器科薬剤、静脈治療薬、ビタミン類、傷口治療薬、細胞成長抑制剤、その他の抗腫瘍薬および保護剤、調製された血清／登録された類似療法薬、生体材料／医用プラスティック／混合物、または成長因子のうちの１つもしくはそれらの組合せを含む請求項１〜７のいずれか一項に記載の装置。
【請求項９】
対象物を活性物質でコーティングする方法であって、
ａ）少なくとも１つの活性物質を対象物に適用する工程、および
ｂ）二次的な担体材料なしに該対象物を直接コーティングするために、適用した活性物質が照射される工程を含み、
照射される放射線が、該対象物上で該活性物質の結晶質または非結晶質コーティング構造の形成を引き起こすことを特徴とする方法。
【請求項１０】
対象物を活性物質でコーティングする方法であって、
ａ）二次的な担体材料を使用して少なくとも１つの活性物質を対象物に適用する工程、および
ｂ）二次的な担体材料を使用して適用した活性物質が照射される工程を含み、
照射される放射線が、該対象物上で該活性物質の結晶質または非結晶質コーティング構造の形成を引き起こすことを特徴とする方法。
【請求項１１】
前記活性物質が、請求項８に記載した物質のうちの１つまたはこれらの物質の組合せを含む、請求項９または１０に記載の方法。
【請求項１２】
少なくとも２つの活性物質の混合物を対象物に適用する、請求項９〜１１のいずれか一項に記載の方法。
【請求項１３】
請求項１１に記載した活性物質もしくは活性物質混合物を他の材料と混合して溶液もしくは懸濁液を形成する、請求項９〜１２のいずれか一項に記載の方法。
【請求項１４】
他の材料、アルコールもしくは水もしくは他の溶媒、特に２回蒸留した滅菌水が暫定的に存在する、請求項１３に記載の方法。
【請求項１５】
溶液もしくは懸濁液もしくは乳化液を対象物に適用する、請求項１３または１４に記載の方法。
【請求項１６】
適用した活性物質混合物もしくは溶液もしくは懸濁液が照射される、請求項９〜１５のいずれか一項に記載の方法。
【請求項１７】
前記照射が、エネルギー放射を通じて実行される、請求項９〜１６のいずれか一項に記載の方法。
【請求項１８】
前記照射が、電磁放射線を通じて実行される、請求項９〜１７のいずれか一項に記載の方法。
【請求項１９】
前記照射が、１つまたは複数の周波数範囲で連続的または断続的に実行される、請求項９〜１８のいずれか一項に記載の方法。
【請求項２０】
前記放射線が、適用した液体コーティングにわずかな加熱しか引き起こさない、請求項９〜１９のいずれか一項に記載の方法。
【請求項２１】
前記放射線が、対象物上で、請求項４または５に記載の活性物質または活性物質混合物の結晶質もしくは非晶質コーティング構造の形成を引き起こす、請求項９〜２０のいずれか一項に記載の方法。
【請求項２２】
前記対象物が前処理され、特に、表面が拡張され、および／または表面が帯電され、それによって対象物がその全表面積にわたって液体を吸収することが可能となる、請求項９〜２１のいずれか一項に記載の方法。
【請求項２３】
コーティングされる対象物もしくはその一部を前処理し、特に対象物に対して異質の物質を除去する、請求項９〜２２のいずれか一項に記載の方法。
【請求項２４】
対象物もしくはその各部分を、異なるかもしくは同一の厚さを有する活性物質層でコーティングする、請求項９〜２３のいずれか一項に記載の方法。
【請求項２５】
コーティングの厚さがナノメートル範囲からミリメートル範囲にまでわたる、請求項９〜２４のいずれか一項に記載の方法。
【請求項２６】
単一層または多層を使用し、
異なるかまたは同一の活性物質を使用し、
有機成分を使用し、
細胞活性を有する成分と組み合わせて、
活性物質に適当な間隔を使用し、
その表面の少なくとも一部分上に、
単一面または複数面上の各区分内に、
表面の異なる部分上に異なる活性物質を使用し、および／または、
その全表面上に、
対象物がコーティングされる、請求項９〜２５のいずれか一項に記載の方法。
【請求項２７】
各活性物質のコーティングが、同じおよび／または異なる溶解度で適用され、特に、各活性物質の段階的放出速度を有する、請求項９〜２６のいずれか一項に記載の方法。
【請求項２８】
コーティングが医学的に活性／薬理学的に活性／薬学的に活性な成分を含む、請求項９〜２７のいずれか一項に記載の方法。
【請求項２９】
コーティングの硬度が段階的であり、および／またはその機械的硬度が調節可能であり、特に、それが硬質コーティング、弾性コーティング、または軟質コーティングである、請求項９〜２８のいずれか一項に記載の方法。
【請求項３０】
コーティングの硬度がエネルギー投与量を通じて、特に、硬質のコーティングには高い投与量を使用し、軟質のコーティングには低い投与量を使用して決定される、請求項９〜２９のいずれか一項に記載の方法。
【請求項３１】
コーティングが識別色を含む、請求項９〜３０のいずれか一項に記載の方法。
【請求項３２】
他の活性物質がコーティングの上に付着され、および／またはその中に埋め込まれる、請求項９〜３１のいずれか一項に記載の方法。
【請求項３３】
前記他の活性物質が成長因子または成長促進剤である、請求項３２に記載の方法。
【請求項３４】
インプラント、特に腰、膝、肩、もしくは顎のインプラント、外科手術用インプラント、または整形外科用インプラント、
オンプラント、特に外科手術用または整形外科用オンプラント、
インレーまたはオンレー、
医用補助具、特にネイル、スクリュー、ワイヤ、固定器、スリーブ、カニューレ、針、縫合糸材料、クランプ、またはドレーン、
医用器具、
医療製品、特に侵襲的または能動的医療製品、
医療装置、特にポンプ、計量装置、信号装置、パルス発生器、またはインスリン検出器、
眼鏡または補聴器、
骨代替セラミック、特にカルシウムとリン酸塩を主成分とするもの、
骨代替材料、特にセラミック、カルシウムと炭酸塩、またはカルシウムと硫酸塩を主成分とするもの、
靭帯、腱、または義歯、
ガラス、セラミック、プラスティック、金属、ガラス・セラミック、または金属セラミックより作製された対象物、あるいは
宝石の部分
をコーティングする、請求項９〜３３のいずれか一項に記載の方法の使用。
【請求項３５】
請求項９〜３４のいずれか一項に記載の方法によって作製される製品。